(57)【要約】【課題】  前側からアドレス設定、変更が簡単にできる遊技台用台間機を提案すること。【解決手段】  遊技台用台間機１のホルダ２には、その下端側にジャンクションボックス４が固定され、その上側には台間機本体３が前方から装着されている。ジャンクションボックス４の前面４ａにはアドレス設定部５が配置され、前面パネル６によってアドレス設定部５が覆い隠されている。前面パネル６は上方に引き上げることによりジャンクションボックス４から取り外すことができ、通常は台間機本体３によって取り外し不可の状態に保持されている。アドレス変更時には台間機本体３を引き出し、前面パネル６を引き上げて取り外し、露出したアドレス設定部５を前側から操作すればよいので操作が簡単である。前面パネル６は台間機本体３によって取り外しが不可の状態とされており遊技者等によりアドレス設定部５が悪戯されることもない。【選択図】  図２
2005342238.tif 000002
【特許請求の範囲】
【請求項１】
台間機本体と、
前記台間機本体が前方に引き出し可能な状態で装着されているホルダと、
前記台間機本体の上側あるいは下側の位置において前記ホルダに装着されている電源ボックスと、
前記電源ボックスにおける前記ホルダから前方に突出している前面部分に着脱可能あるいは移動可能に取り付けられている前面パネルと、
前記前面パネルによって覆われている前記電源ボックスの部分に配置されているアドレス設定スイッチとを有し、
前記前面パネルは、前記台間機本体によって前記電源ボックスにロックされており、当該台間機本体を前記ホルダから引き出すと当該ロック状態が解除される遊技台用台間機。
【請求項２】
請求項１において、
前記電源ボックスは前記台間機本体の下側に位置しており、
前記前面パネルは前記電源ボックスの前面部分に対して上方にのみ移動可能な状態で取り付けられており、
前記台間機本体の下面部分によって前記前面パネルの上方への移動が阻止されている遊技台用台間機。
【請求項３】
請求項２において、
前記電源ボックスの前面部分には係合孔あるいは係合爪が形成されており、
前記前面パネルには、前記電源ボックスの前面部分に沿って上側から下側に移動させることにより前記係合孔あるいは係合爪に係合可能な係合爪あるいは係合孔が形成されている遊技台用台間機。
【請求項４】
請求項２において、
前記電源ボックスの前面部分には上下方向に延びるスライド溝あるいはスライド突起が形成されており、
前記前面パネルには、スライド可能な状態で前記スライド溝に嵌め込まれているスライド突起、あるいはスライド可能な状態で前記電源ボックス側の前記スライド突起が嵌め込まれているスライド溝が形成されている遊技台用台間機。
【請求項５】
請求項１ないし４のうちのいずれかの項において、
前記前面パネルは、少なくとも、前記アドレス設定スイッチに対応する部分が透明である遊技台用台間機。
【請求項６】
請求項１ないし５のうちのいずれかの項において、
前記電源ボックスの前面に前記アドレス設定スイッチが配置されている遊技台用台間機。
【請求項７】
請求項１ないし６のうちのいずれかの項において、
前記アドレス設定スイッチは少なくとも１つのロータリスイッチを含む遊技台用台間機。
【請求項８】
請求項１ないし７のうちのいずれかの項において、
前記前面パネルによって覆われている前記電源ボックスの部分に配置されている通電確認用の電源ランプを有している遊技台用台間機。
【請求項９】
請求項８において、
前記電源ボックスの前面に前記電源ランプが配置されている遊技台用台間機。
【請求項１０】
請求項９において、
前記前面パネルは、前記電源ランプに対応する部分が透明である遊技台用台間機。
【発明の詳細な説明】
【技術分野】
【０００１】
本発明は、パチンコ玉などの遊技媒体の貸し出しを行うための遊技台用台間機に関し、特に、遊技店などに設置されている上位機器との間で通信を行うため等に必要とされる遊技台用台間機のアドレスを設定するための機構の改良に関するものである。
【背景技術】
【０００２】
遊技店においては、遊技台の間に遊技媒体の貸し出しを行うための遊技台用台間機が設置されている。各遊技台用台間機での貸し出し状況などの情報は、通信ケーブルなどを介して遊技店に設置されているホールコンピュータと呼ばれる管理装置の側に送信されるようになっている。管理装置の側において各遊技台用台間機を識別できるように、各遊技台用台間機には例えば４桁の数字からなる固有のアドレス(台番号、ＩＤ番号)が予め付与されている。
【０００３】
遊技台用台間機は、一般に、遊技台が配列されている遊技島を構成している取り付け枠に固定されているホルダと、このホルダに対して前側から装着された台間機本体から構成されている。この構成の場合には、ホルダの側に遊技台用台間機のアドレス設定機能を搭載しておけば、台間機本体を交換しても、アドレスを再設定する操作が不要である。このようなアドレス設定機能を備えた台間機は例えば下記の特許文献１、２に開示されている。
【０００４】
また、アドレスの再設定や確認作業を容易に行うことができるようにするために、台間機本体の操作部に配列されているボタンを操作することにより、アドレスの設定や変更を行うようにした台間機も提案されている。このような台間機は例えば下記の特許文献３に開示されている。
【０００５】
一方、遊技台用台間機は、台間機本体の上側あるいは下側の位置においてホルダに装着されている電源ボックスを備えており、ここに供給される商用交流電流を、当該電源ボックスに内蔵されている電源部において２４Ｖ、５Ｖなどの直流電流に変換して、台間機本体などに供給している。電源ボックスには、その側面に通電確認用の電源ランプが配置されており、この電源ランプは電源ボックスの電源スイッチをオン状態にしたときに点灯するので、これにより電源ボックスが通電状態にあるか否かを確認できるようになっている。
【特許文献１】特許第２８４７１０９号公報
【特許文献２】特開２００１−３００１１８号公報
【特許文献３】特開平９−３１３７２２号公報
【発明の開示】
【発明が解決しようとする課題】
【０００６】
アドレス設定機能をホルダ側に搭載した場合には、遊技島に取り付ける前にアドレスの設定を行う必要がある。また、アドレスの再設定を行う場合には、台間機本体を取り外し、それによって開いた狭い隙間から手を入れてホルダ側のアドレス設定スイッチ等を操作する必要がある。このような状況でのアドレス変更操作は容易でない。
【０００７】
これに対して、台間機本体の操作部に配列されたボタン操作によりアドレスの設定、変更が可能な場合には操作性が改善される。しかし、遊技客等によって設定、変更が行われることの無い様に、特殊な操作によってのみアドレス設定や変更ができるようにする必要がある。この結果、アドレスの設定、変更操作が複雑あるいは煩雑になってしまう。また、アドレス設定用の専用の電気回路やプログラムを台間機本体の制御器に組み込む必要があるので、コスト高を招く惧れがある。
【０００８】
一方、遊技台用台間機は遊技台の間あるいは遊技台に隣接した位置に配置されるので、電源ボックスの側面に配置した通電確認用の電源ランプを外側から目視できず、その視認性が悪い。
【０００９】
本発明の課題は、このような点に鑑みて、簡単な操作によりアドレスの設定、変更を行うことのできる廉価なアドレス設定機構を備えた遊技台用台間機を提案することにある。
【００１０】
また、本発明の課題は、簡単な操作によりアドレスの設定、変更を行うことのできる廉価なアドレス設定機構を備えていると共に、通電状態の確認も簡単にできる遊技台用台間機を提案することにある。
【課題を解決するための手段】
【００１１】
上記の課題を解決するために、本発明の遊技台用台間機は、台間機本体と、前記台間機本体が前方に引き出し可能な状態で装着されているホルダと、前記台間機本体の上側あるいは下側の位置において前記ホルダに装着されている電源ボックスと、前記電源ボックスにおける前記ホルダから前方に突出している前面部分に着脱可能あるいは移動可能に取り付けられている前面パネルと、前記前面パネルによって覆われている前記電源ボックスの部分に配置されているアドレス設定スイッチとを有し、前記前面パネルは、前記台間機本体によって前記電源ユニットにロックされており、当該台間機本体を前記ホルダから引き出すと当該ロック状態が解除されることを特徴としている。
【００１２】
本発明では、台間機本体とは別個にホルダに装着されている電源ボックスの前面部分にアドレス設定スイッチを配置し、これを前面パネルで覆うことにより、外部から操作できないようにしている。また、前面パネルを電源ボックスに対して着脱可能あるいは移動可能としておき、台間機本体によって前面パネルを電源ボックスにロックするようにしている。従って、アドレス設定、変更時に、台間機本体をホルダから引き抜くと、前面パネルのロック状態が解除され、前面パネルを電源ボックスの前面部分から取り外し、あるいは前面部分に対して移動させることができる。前面パネルを取り外し、あるいは移動させることにより、アドレス設定スイッチが露出し、これを操作してアドレスの設定、変更を行うことができる。よって、アドレスの設定、変更を簡単に行うことができる。また、通常の状態では前面パネルによってアドレス設定スイッチは覆われているので、遊技客などによって操作される惧れもない。さらに、前面パネルのロックは、台間機本体を利用しているので、ロック機構を別途設ける必要がない。
【００１３】
一般には、前記電源ボックスは前記台間機本体の下側に配置される。この場合には、前記前面パネルを前記電源ボックスの前面部分に対して上方にのみ移動可能な状態で取り付け、前記台間機本体の下面部分によって前記前面パネルの上方への移動が阻止される構成とすればよい。
【００１４】
また、電源ボックスの前面部分に対する前面パネルの取り付け機構としては、前記電源ボックスの前面部分に係合孔あるいは係合爪を形成し、前記前面パネルに、前記電源ボックスの前面部分に沿って上側から下側に移動させることにより前記係合孔あるいは係合爪に係合可能な係合爪あるいは係合孔を形成したものとすることができる。
【００１５】
この代わりに、前記電源ボックスの前面部分に上下方向に延びるスライド溝あるいはスライド突起を形成し、前記前面パネルには、スライド可能な状態で前記スライド溝に嵌め込まれているスライド突起、あるいはスライド可能な状態で前記電源ボックスの前記スライド突起が嵌め込まれているスライド溝を形成した構成のものを採用することができる。
【００１６】
次に、前記前面パネルとして、少なくとも、前記アドレス設定スイッチに対応する部分が透明なものを用いることができる。
【００１７】
また、操作性の点から、アドレス設定スイッチは、前記電源ボックスの前面に配置することが望ましい。
【００１８】
また、前記アドレス設定スイッチとしてロータリスイッチを用いることができる。
【００１９】
次に、本発明では、前記電源ボックスにおける前記ホルダから前方に突出している前面部分に通電確認用の電源ランプを配置し、これを前面パネルで覆った構成を採用している。この構成によれば、前面パネルを取り外せば前方あるいは側方から電源ランプを見ることができる。
【００２０】
ここで、前面パネルを取り外すことなく、電源ボックスが通電状態にあるか否かを外側から一目で確認できるように、前記電源ボックスの前面に通電確認用の電源ランプを配置し、前記前面パネルにおける前記電源ランプに対応する部分を透明に形成することが望ましい。
【発明の効果】
【００２１】
本発明の遊技台用台間機においては、そのアドレス設定部を電源ボックスの前面に配置し、当該電源ボックスの前面部分を前面パネルで覆い隠すようにし、台間機本体をホルダから引き出すと、前面パネルを取り外しあるいは移動できるようになっている。従って、本発明によれば、台間機本体を引き出して前面パネルを取り外しあるいは移動することにより、前側からアドレス設定部を操作できるので、簡単にアドレス設定、変更を行うことができる。また、前面パネルによってアドレス設定部は覆い隠されているので、遊技者などの悪戯などによってアドレス設定部が操作される惧れもない。さらに、電源ボックスに対する前面パネルのロック、およびその解除を、台間機本体を利用して行っているので、ロック機構を別途取り付ける必要が無い。
【００２２】
よって、本発明によれば、アドレス設定、変更が容易にでき、アドレス設定部が悪戯などによって操作される惧れのない遊技台用台間機を廉価に実現できる。
【００２３】
また、本発明の遊技台用台間機では、前面パネルで覆われている電源ボックスの前面部分に電源ランプを配置してある。したがって、前面パネルを取り外せば、台間機前方から電源ランプを直接に目視できる。また、前面パネルにおける電源ランプに対峙している部分に透明な窓を形成しておけば、前面パネルを外すことなく、この窓を通して、台間機前方から通電確認用の電源ランプを見て、通電状態を確認できる。
【発明を実施するための最良の形態】
【００２４】
以下に、図面を参照して、本発明を適用した遊技台用台間機の実施の形態を説明する。
【００２５】
図１(ａ)は本実施の形態に係る遊技台用台間機を示す側面図であり、図１(ｂ)はその下端部分を示す部分分解斜視図である。図示の遊技台用台間機１は、遊技台の間あるいは遊技台に隣接した位置に配置されるものであり、遊技島を構成している取り付け枠(図示せず)に取り付けられているホルダ２と、このホルダ２に対して前側から水平に差し込むことにより装着されている台間機本体３と、台間機本体３の下側においてホルダ２に装着されているジャンクションボックス(電源ボックス)４とを備えている。
【００２６】
ホルダ２は、縦枠２１と、縦枠２１の上端から前方に水平に延びている上側水平枠２２と、縦枠２１の下端から前方に水平に延びている下側水平枠２３と、ジャンクションボックス４の上側位置において縦枠２１から前方に水平に延びているスライドレール２４を備えている。上側水平枠２２とスライドレール２４の間に台間機本体３が装着されており、不図示のロック機構を解除することにより、想像線で示す装着位置から実線で示すように前方に引き出すことが可能である。また、スライドレール２４と下側水平枠２３の間にジャンクションボックス４が固定されている。
【００２７】
台間機本体３には、例えば、ＩＣカード、磁気カード等のカードリーダライタ、紙幣識別機、これらを制御するための制御器などが内蔵されており、挿入されたカードに記憶されている金額情報、あるいは挿入された紙幣に基づき、パチンコ玉などの遊技媒体の貸し出し処理を行う。
【００２８】
ジャンクションボックス４には、電源部４１およびアドレス設定部４２が内蔵されている。電源部４１には接続コード４３を介して商用交流電流が供給され、電源部４１において２４Ｖ、５Ｖなどの直流電流を生成して、接続用ケーブル４４を介して台間機本体３等に供給する。
【００２９】
次に、図２(ａ)〜(ｃ)は、本例のジャンクションボックス４を示す斜視図、その前面部分を示す分解斜視図、およびその前面パネルの縦断面図である。ジャンクションボックス４は台間機本体３と同一幅の扁平な直方体形状をしており、その前面４ａのほぼ中央には上下に４個のロータリスイッチ５ａ〜５ｄが配列された構成のアドレス設定部５が取り付けられている。また、前面４ａと、ホルダ２のスライドレール２４および下側水平枠２３の先端から前方に突出している上端面部分４ｂおよび側面部分４ｃ、４ｄとを含む前面部分４０が、前面パネル６によって覆われている。
【００３０】
前面パネル６は、ＡＢＳ、ポリカーボネート等の樹脂成形品であり、前板部分６１と、前板部分６１の上縁から後方に直角に延びている上板部分６２と、前板部分６１の左右の縁から後方に直角に延びている左右の側板部分６３、６４とを備えている。上板部分６２、左右の側板部分６３、６４の幅および長さは、ジャンクションボックス４の前面部分４０が嵌り込む幅および長さに設定されている。
【００３１】
ここで、ジャンクションボックス４の前面部分４０の上端面部分４ｂには、その幅方向の中央に、上方に開口した細長い長方形の係合孔４ｅが形成されている。また、その前面４ａにおけるアドレス設定部５の下側の部位には前方に開口した長方形の係合孔４ｆが形成されている。これに対して、前面パネル６の上板部分６２の先端縁には下方に向けて直交する方向に延びる係合爪６２ａが形成されており、この係合爪６２ａは上側から上記の係合孔４ｅに差込可能である。また、前面パネル６の前板部分６１の内側面における下端近傍には、当該内側面から僅かに突出した状態で下方に延びている係合爪６１ａが形成されている。この係合爪６１ａは、前面パネル６を前面４ａに沿って上側から下方に移動させると、係合孔４ｆに上側から差込可能となっている。
【００３２】
従って、図２(ｂ)において矢印で示すように、ジャンクションボックス４の前面部分４０に対して上側から前面パネル６を嵌めると、前面部分４０に前面パネル６が固定された状態が形成される。また、前面パネル６を前面部分４０に被せた後に、図１(ａ)に示すように、台間機本体３をホルダ２に装着すると、前面パネル６の上板部分６２の真上に、台間機本体３の前面パネル３ａの下端面３ｂが当接した状態が形成されるようになっている。
【００３３】
なお、前面パネル６の前板部分６１の表面には、その上端部分および下端部分に幅方向に延びる複数本の滑り止め用の凹凸６１ｂ、６１ｃが形成されている。指などをこれらの凹凸に掛けることにより、前面パネル６の着脱を容易に行い得るようになっている。
【００３４】
このように構成した本例の遊技台用台間機１において、ジャンクションボックス４をホルダ２に固定した後に、ホルダ２を遊技島の取り付け枠に固定する。しかる後に、アドレス設定部５のロータリスイッチ５ａ〜５ｄを操作して、当該遊技台用台間機１のアドレスを設定する。アドレス設定後に前面パネル６をジャンクションボックス４の前面部分４０に被せる。この後は、台間機本体３をホルダ２に装着して、当該ホルダ２に固定する。
【００３５】
前述したように、前面パネル６の係合爪６１ａ、６２ａは上側から係合孔４ｆ、４ｅに差し込まれており、上側に引き上げないとジャンクションボックス４の前面部分４０から外すことができない。しかし、台間機本体３の前面パネル３ａの下端面３ｂが前面パネル６の上板部分６２に当たっている。よって、台間機本体３が装着された状態では、当該台間機本体３によってジャンクションボックス４に前面パネル６がロックされた状態が自動的に形成される。従って、遊技客などにより前面パネル６が外されアドレス設定部５が操作されてしまうという惧れがない。
【００３６】
次に、遊技台用台間機１のアドレス変更を行う場合には、台間機本体３をホルダ２から前方に引き出す。台間機本体３をホルダ２から外すと、ジャンクションボックス４の前面パネル６を上方に移動して、当該ジャンクションボックス４から取り外すことができる。前面パネル６を外すと、ジャンクションボックス４の前面４ａが露出する。よって、遊技台用台間機１の前側から露出したアドレス設定部５を操作してアドレス変更を行うことができる。アドレス設定部５は遊技客などによって操作される惧れがない。よって、特殊なスイッチ操作手順で設定する必要がないので、設定、変更操作が簡単になる。
【００３７】
さらに、本例では、前面パネル６をジャンクションボックス４にロックするために台間機本体３を利用しているので、前面パネル６のロック機構を別途設ける必要がない。よって、台間機のコスト低減に有利である。
【００３８】
（その他の実施の形態）
図３はジャンクションボックス４および前面パネル６の変形例を示す図である。上記の前面パネル６は着脱式のものであるが、本例の前面パネル６Ａはスライド式のものである。すなわち、ジャンクションボックス４Ａには、その前面部分４０Ａの左右の側面部分４ｃ、４ｄに上下方向に延びる一定幅のスライド溝１１、１２が形成されている。これに対して、図３(ｂ)に示すように、前面パネル６Ａの左右の側板部分６３、６４の先端縁における上下方向の中ほどの部位には内側に屈曲したスライド突起１３、１４が形成されている。各スライド溝１１、１２には、それぞれ、対応するスライド突起１３、１４がスライド可能な状態ではめ込まれている。
【００３９】
なお、ジャンクションボックス４Ａの上端面部分４ｂには上記の例と同様な係合孔４ｅが形成されており、前面パネル６Ａの側にも係合孔４ｅに上側から差込可能な係合爪６２ａが形成されている。
【００４０】
この構成のジャンクションボックス４Ａおよび前面パネル６Ａにおいては、スライド溝１１、１２の形成位置および長さを適切に設定しておくことにより、図３(ｃ)に示すように、前面パネル６Ａを上方に引き上げると、アドレス設定部５が露出する。よって、前面パネル６Ａをジャンクションボックス４Ａの前面部分４０Ａから外す必要がない。
【００４１】
なお、本例においても、ホルダ２に装着した台間機本体３によって、前面パネル６Ａがジャンクションボックス４Ａの前面部分４０Ａに固定された状態が形成される。台間機本体３をホルダ２から外すと、前面パネル６Ａを上方に引き上げることが可能になる。
【００４２】
本例の構成によっても、アドレス設定、変更の操作が簡単になり、遊技客などによってアドレス設定部５が悪戯に操作される惧れもない。また、前面パネル６Ａをジャンクションボックス４Ａにロックするために台間機本体３を利用しているので、ロック機構を別途設ける必要がないので、台間機のコスト低減に有利である。
【００４３】
次に、図４は図３に示す前面パネル６Ａの変形例を示す斜視図である。本例の前面パネル６Ｂは、アドレス設定部５に対峙している部分に透明な樹脂素材からなる長方形のアドレス確認用の窓１５が形成されている。窓１５は、透明な樹脂素材からなる長方形の板を、前面パネル６Ｂに開けた長方形の開口部に接着、溶着、嵌めこみなどの方法により前面パネル６Ｂの裏側から固定することにより形成したものである。
【００４４】
かかる窓１５を設けると、前面パネル６Ｂを上方にスライドさせることなく、アドレス設定部５のロータリスイッチ５ａ〜５ｄを外側から目視できる。すなわち、前面パネル６Ｂを上方にスライドできるように、台間機本体３をホルダ２から引き出す必要がなくなる。よって、アドレスの確認が簡単にできるという利点がある。
【００４５】
また、窓１５は前面パネル６Ｂとジャンクションボックス４Ａの前面部分４０Ａとの間に挟まれるため、遊技客などによって悪戯に押されても窓１５が抜け落ちる惧れもない。
【００４６】
なお、アドレス確認用の窓１５を、図１、２に示す取り外し式の前面パネル６に適用できることは勿論である。
【００４７】
次に、図５は、図１のジャンクションボックス４および前面パネル６の更に別の変形例を示す説明図である。本例のジャンクションボックス４Ｂは、その前面４ａにおける設定部５の下側の部位に電源ランプ５０が配置されている。この電源ランプ５０は、ＬＥＤ(発光ダイオード)などから構成されており、ジャンクションボックス４Ｂの背面４ｇに配置されている電源スイッチ４５のオン・オフ状態を確認するためのものである。すなわち、電源スイッチ４５をオフ状態からオン状態に切り替え操作すると、オン状態に切り替えられている間、電源ランプ５０は点灯すると共に、接続コード４３を介してジャンクションボックス４Ｂに供給される商用交流電流は、電源部４１において２４Ｖ、５Ｖなどの直流電流に変換されて、接続用ケーブル４４を介して台間機本体等に供給される。
【００４８】
また、前面パネル６Ｃには、電源ランプ５０に対峙している部分に透明な樹脂素材からなる円形の通電確認用の窓１６が形成されている。窓１６は、透明な樹脂素材からなる円形の板を、前面パネル６Ｃに開けた円形の開口部に接着、溶着、嵌めこみなどの方法により前面パネル６Ｃの裏側から固定することにより形成したものである。
【００４９】
この構成のジャンクションボックス４Ｂおよび前面パネル６Ｃを備えた遊技台用台間機では、その前面に、通電確認用の電源ランプ５０および窓１６が位置している。したがって、当該遊技台用台間機を遊技台の間あるいは遊技台に隣接した位置に配置したとしても、電源ランプ５０を窓１６を通して直接、目視できる。よって、台間機前方から通電状態の確認を簡単に行うことができる。
【００５０】
なお、本例の前面パネル６Ｃに、上記のアドレス確認用の窓１５を形成すれば、通電とアドレスの確認を同時に行うことも可能である。また、電源ランプ５０を、前面パネル６Ｃによって覆われているジャンクションボックス４Ｂの側面部分に配置してもよい。
【図面の簡単な説明】
【００５１】
【図１】(ａ)は本発明を適用した遊技台用台間機を示す側面図であり、(ｂ)はその下端部分を示す部分分解斜視図である。
【図２】(ａ)〜(ｃ)は、図１のジャンクションボックスを示す斜視図、その前面部分を示す分解斜視図、およびその前面パネルの縦断面図である。
【図３】図１のジャンクションボックスおよび前面パネルの変形例を示す図であり、(ａ)はジャンクションボックスの前面部分を示す部分斜視図であり、(ｂ)は前面パネルを背面側から示す斜視図である。
【図４】図３の前面パネルの変形例を示す斜視図である。
【図５】図１のジャンクションボックスおよび前面パネルの更に別の変形例を示す図であり、(ａ)はそれらを前面側から見た場合の分解斜視図であり、(ｂ)はそれらを背面側から見た場合の分解斜視図である。
【符号の説明】
【００５２】
１    遊技台用台間機
２    ホルダ
３    台間機本体
３ａ  前面パネル
３ｂ  下端面
４、４Ａ、４Ｂ  ジャンクションボックス
４ｅ、４ｆ  係合孔
１１、１２  スライド溝
１３、１４  スライド突起
１５  窓
４０  前面部分
４１  電源部
４２  アドレス設定部
５    アドレス設定部
５ａ〜５ｄ  ロータリスイッチ
６、６Ａ、６Ｂ、６Ｃ  前面パネル
１６  窓
５０  電源ランプ
６１ａ、６２ａ  係合爪
【図１】
2005342238.tif 000003
【図２】
2005342238.tif 000004
【図３】
2005342238.tif 000005
【図４】
2005342238.tif 000006
【図５】
2005342238.tif 000007